(57)【要約】【課題】  複数枚のデジカメ写真を、それぞれの画像面を離隔した状態で、且つ、大きなスペースを占有することなく、良好に保管し得る、折り畳み可能なラックを提供する【解決手段】  底板部１０と、底板部１０に折り畳み可能な側板部３０と、側板部３０に一縁部を係止した状態で側板部３０に折り畳み可能で且つ他縁部が底板部１０の反連設側の縁部に係止可能な第２板部材５０と、を有するラック。側板部３０は、複数本の帯状長穴３１，３１，，を有し、第２板部材５０は側板部３０の対応する帯状長穴３１に略重なる複数本の帯状長穴５１，５１，，を有する。側板部３０を底板部１０の上方へ傾斜させて立て第２板部材５０の一縁部を側板部３０に係止した状態で側板部３０から開き且つ他縁部を底板部１０に係止することにより第２板部材５０を前記底板部１０の上方へ傾斜させて立てた組立状態と成す。【選択図】      図１
0003127182.tif 000002
【実用新案登録請求の範囲】
【請求項１】
略方形の底板部と、該底板部の一縁部に屈曲自在に連設されていて該底板部に折り畳み可能である略方形の第１側板部と、を有する第１板部材と、
略方形を成し、一縁部が前記第１側板部の反連設側の縁部に係止可能であるとともに係止状態に於いて該第１側板部に折り畳み可能であり、他縁部が前記底板部の反連設側の縁部に係止可能である第２側板部としての第２板部材と、
を有し、
前記第１側板部は、連設側の縁部及び反連設側の縁部と交叉する方向へ帯状に延びる複数本の帯状長穴を有し、
前記第２板部材は、前記第１側板部に係止して折り畳んだ状態に於いて該第１側板部の対応する帯状長穴に略重なる複数本の帯状長穴を有し、
前記第１側板部を前記底板部の上方へ傾斜させて立て、前記第２板部材の一縁部を前記第１側板部に係止した状態で該第１側板部から開き且つ他縁部を前記底板部に係止することにより、前記第２板部材を前記底板部の上方へ傾斜させて立てた組立状態と成す、
ことを特徴とする薄板物体用ラック。
【請求項２】
略方形の底板部と、
前記底板部の一縁部に屈曲自在に連設されていて該底板部に折り畳み可能である略方形の第１側板部と、
前記第１側板部に屈曲自在に連設されていて該第１側板部に折り畳み可能であり反連設側の縁部が前記底板部の反連設側の縁部に係止可能である略方形の第２側板部と、
を有し、
前記第１側板部は、前記底板部との連設側の縁部及び前記第２側板部との連設側の縁部と交叉する方向へ帯状に延びる複数本の帯状長穴を有し、
前記第２側板部は、前記第１側板部に折り畳まれた状態に於いて前記第１側板部の対応する帯状長穴に略重なる複数本の帯状長穴を有し、
前記第１側板部を前記底板部の上方へ傾斜させて立て、前記第２側板部の前記第１側板部との連設側の縁部を該第１側板部から開き且つ反連設側の縁部を前記底板部に係止することにより、前記第２側板部を前記底板部の上方へ傾斜させて立てた組立状態と成す、
ことを特徴とする薄板物体用ラック。
【請求項３】
略方形の底板部材と、
略方形を成し、一縁部が前記底板部材の一縁部に係止可能であるとともに係止状態に於いて該底板部材に折り畳み可能である第１側板部材と、
略方形を成し、一縁部が前記第１側板部材の他縁部に係止可能であるとともに係止状態に於いて該第１側板部材に折り畳み可能であり、他縁部が前記底板部材の他縁部に係止可能である第２側板部材と、
を有し、
前記第１側板部材は、前記一縁部及び他縁部と交叉する方向へ帯状に延びる複数本の帯状長穴を有し、
前記第２側板部材は、前記第１側板部材に係止して折り畳んだ状態に於いて該第１側板部材の対応する帯状長穴に略重なる複数本の帯状長穴を有し、
前記第１側板部材の一縁部を前記底板部材の一縁部に係止した状態で該底板部材から開き且つ該底板部材の上方へ傾斜させて立て、前記第２側板部材の一縁部を前記第１側板部材の他縁部に係止した状態で該第１側板部材から開き且つ他縁部を前記底板部材の他縁部に係止することにより、前記第２側板部材を前記底板部材の上方へ傾斜させて立てた組立状態と成す、
ことを特徴とする薄板物体用ラック。
【請求項４】
略方形の底板部材と、
略方形を成し、湾曲可能であり、一縁部が前記底板部材の一縁部に係止可能であるとともに係止状態に於いて該底板部材に折り畳み可能であり、他縁部が前記底板部材の他縁部に係止可能である上板部材と、
を有し、
前記上板部材は、前記一縁部及び他縁部と交叉する方向へ帯状に延びる複数本の帯状長穴を有し、
前記上板部材の一縁部を前記底板部材の一縁部に係止した状態で該底板部材から開き且つ湾曲させて他縁部を該底板部材の他縁部に係止することにより、前記上板部材で前記底板部材を覆う組立状態と成す、
ことを特徴とする薄板物体用ラック。
【請求項５】
略方形の底板部と、
前記底板部の一縁部に折り曲げ自在に連設されており、湾曲可能であり、反連設側の縁部が前記底板部の反連設側の縁部に係止可能である略方形の上板部と、
を有し、
前記上板部は、前記連設側の縁部及び反連設側の縁部と交叉する方向へ帯状に延びる複数本の帯状長穴を有し、
前記上板部の連設側の縁部を前記底板部から開き且つ湾曲させて反連設側の縁部を該底板部の反連設側の縁部に係止することにより、前記上板部で前記底板部を覆う組立状態と成す、
ことを特徴とする薄板物体用ラック。
【請求項６】
略方形を成す底板と、
略方形を成し、帯状に延びる複数本の帯状長孔を有する上板と、
を有し、
前記底板を覆うように該底板に前記上板を組み付けて成る組立状態に於いて前記帯状長孔により薄板物体を立てた状態に保持可能である、
ことを特徴とする薄板物体用ラック。
【考案の詳細な説明】
【技術分野】
【０００１】
本考案は、薄板物体を１枚づつ立てた状態で保持する薄板物体用ラックに関する。
本考案の薄板物体用ラックは、例えば、未乾燥状態のデジカメ写真を、その画像を損傷することなく、且つ、机上等で大きなスペースを占有することなく、一時的に保管する用途に好適に用いることができる。
【背景技術】
【０００２】
デジカメとインクジェットプリンタの普及に伴い、家庭等に於いても、専用の用紙上にデジカメ写真をプリント出力する機会が増えてきている。
デジカメ写真のプリント出力は、通常は高精細モードで行なわれる。このため、乾燥までに長時間を要し、その間、未乾燥状態の画像面に他の写真等が触れないように保管する必要上、机上等で大きなスペースを占有してしまっている。
【０００３】
特許庁の電子図書館の公報テキスト検索に於いて、公報種別として「公開特許公報」又は「公開実用新案公報」を指定し、検索項目として選択した「ＩＰＣ」として「Ａ４７Ｂ４３／００、Ａ４７Ｂ４３／０２、Ａ４７Ｂ４７／００、Ａ４７Ｂ４７／０４、Ａ４７Ｂ４７／０６、Ａ４７Ｂ６３／００、又は、Ａ４７Ｂ８１／００」を適宜に指定し、同じく検索項目として選択した「要約＋請求の範囲」として「写真、デジカメ、プリント、乾燥、用紙、印画紙、インクジェット、一時、臨時、又は、カメラ」を適宜に指定して検索したが、本願考案に類似する先行技術を発見することはできなかった。
【考案の開示】
【考案が解決しようとする課題】
【０００４】
先述したように、インクジェットプリンタで出力したデジカメ写真は、乾燥するまでの間、机上等の大きなスペースを占有してしまうという問題がある。
本考案はかかる事情に鑑みたものであり、複数枚の薄板物体（例：未乾燥状態の複数枚のデジカメ写真）を、それぞれの表面（画像面）を離隔した状態で、且つ、大きなスペースを占有することなく、良好に保管し得るラックを提供することを目的とする。
また、家庭でのデジカメ写真のプリント出力が、一般に、毎日行なわれるわけではないという事情に鑑み、上記のラックとして、普段は小さく折り畳んで収納しておくことができ、必要に応じて組み立てて使用できるものを提供することを目的とする。
【課題を解決するための手段】
【０００５】
本考案は、下記［１］〜［６］のように構成される。なお、この項と、次項（「考案の効果」の項）で付す符号は、本考案の理解を容易にするためであり、本考案の構成を符号の構成に限定する趣旨ではない。
［１］手段１：
略方形の底板部１０と、該底板部１０の一縁部に屈曲自在に連設されていて該底板部１０に折り畳み可能である略方形の第１側板部３０と、を有する第１板部材Ａと、
略方形を成し、一縁部が前記第１側板部３０の反連設側の縁部に係止可能であるとともに係止状態に於いて該第１側板部３０に折り畳み可能であり、他縁部が前記底板部１０の反連設側の縁部に係止可能である第２側板部としての第２板部材５０と、
を有し、
前記第１側板部３０は、連設側の縁部及び反連設側の縁部と交叉する方向へ帯状に延びる複数本の帯状長穴３１，３１，，を有し、
前記第２板部材５０は、前記第１側板部３０に係止して折り畳んだ状態に於いて該第１側板部３０の対応する帯状長穴３１に略重なる複数本の帯状長穴５１，５１，，を有し、
前記第１側板部３０を前記底板部１０の上方へ傾斜させて立て、前記第２板部材５０の一縁部を前記第１側板部３０に係止した状態で該第１側板部３０から開き且つ他縁部を前記底板部１０に係止することにより、前記第２板部材５０を前記底板部１０の上方へ傾斜させて立てた組立状態と成す、
ことを特徴とする薄板物体用ラック。
反連設側の縁部とは、連設側の縁部と平行で反対側に位置する縁部を言う。
各帯状長孔３１，３１，，は、連設側の縁部及び反連設側の縁部と交叉する方向、例えば、直交する方向へ延びる。各帯状長孔３１，３１，，は、平行であってもよく、平行でなくてもよい。これらのことは、各帯状長孔５１，５１，，についても同様である。
［１−１］手段１の具体例１：
手段１に於いて、
前記第１板部材Ａは１枚板のポリプロピレン製であり、
前記底板部１０と前記第１側板部３０が屈曲自在に連設される部位には所定間隔を空けて筋状に掘削形成した浅溝２１ａ，２１ｂに挟まれ該浅溝２１ａ，２１ｂにて屈曲可能である帯状屈曲部２０が存する、
ことを特徴とする薄板物体用ラック。
浅溝２１ａ，２１ｂは、それぞれ一本の溝で形成されていてもよいが、微小間隔を空けて掘削形成した２本づつ又は３本づつ以上の溝で形成されていてもよい。
［１−２］手段１の具体例２：
手段１又は手段１の具体例１に於いて、
前記第２板部材５０が前記第１側板部３０に係止される一縁部には、該一縁部に沿って複数個のスリット状係止孔５３，５３が設けられており、
前記第１側板部３０の反連設側の縁部には、前記第２板部材５０のスリット状係止孔５３に対応する各部位に、スリット長より幅広の逆鉤部３３ａを備えた係止片３３，３３がそれぞれ縁部から突出形成されており、
前記各係止片３３，３３をそれぞれ対応する前記スリット状係止孔５３，５３に挿通することにより、前記第２板部材５０が前記第１側板部３０に係止状態に於いて折り畳み可能とされる、
ことを特徴とする薄板物体用ラック。
上記では、スリット状係止孔を第２板部材５０に設け、係止片を第１側板部３０に設けているが、これとは逆に、スリット状係止孔を第１側板部３０に設け、逆鉤部を備えた係止片を第２板部材５０に設けるように構成しても良い。
【０００６】
［２］手段２：
略方形の底板部１０と、
前記底板部１０の一縁部に屈曲自在に連設されていて該底板部１０に折り畳み可能である略方形の第１側板部３００と、
前記第１側板部３００に屈曲自在に連設されていて該第１側板部３００に折り畳み可能であり反連設側の縁部が前記底板部１０の反連設側の縁部に係止可能である略方形の第２側板部５００と、
を有し、
前記第１側板部３００は、前記底板部１０との連設側の縁部及び前記第２側板部５００との連設側の縁部と交叉する方向へ帯状に延びる複数本の帯状長穴３０１，３０１，，を有し、
前記第２側板部５００は、前記第１側板部３００に折り畳まれた状態に於いて前記第１側板部３００の対応する帯状長穴３０１に略重なる複数本の帯状長穴５０１，５０１，，を有し、
前記第１側板部３００を前記底板部１０の上方へ傾斜させて立て、前記第２側板部５００の前記第１側板部３００との連設側の縁部を該第１側板部３００から開き且つ反連設側の縁部を前記底板部１０に係止することにより、前記第２側板部５００を前記底板部１０の上方へ傾斜させて立てた組立状態と成す、
ことを特徴とする薄板物体用ラック。
反連設側の縁部とは、連設側の縁部と平行で反対側に位置する縁部を言う。
各帯状長孔３０１，３０１，，は、底板部１０との連設側の縁部及び第２側板部５００との連設側の縁部と交叉する方向、例えば、直交する方向へ延びる。各帯状長孔３０１，３０１，，は、平行であってもよく、平行でなくてもよい。これらのことは、各帯状長孔５０１，５０１，，についても同様である。
［２−１］手段２の具体例：
手段２に於いて、
前記底板部１０と前記第１側板部３００と前記第２側板部５００は１枚板のポリプロピレン製であり、
前記底板部１０と前記第１側板部３００が屈曲自在に連設される部位には所定間隔を空けて筋状に掘削形成した浅溝２１ａ，２１ｂに挟まれ該浅溝２１ａ，２１ｂにて屈曲可能である第１帯状屈曲部２０が存し、
前記第２側板部５００と前記第１側板部３００が屈曲自在に連設される部位には所定間隔を空けて筋状に掘削形成した浅溝２６ａ，２６ｂに挟まれ該浅溝２６ａ，２６ｂにて屈曲可能である第２帯状屈曲部２５が存する、
ことを特徴とする薄板物体用ラック。
浅溝２６ａ，２６ｂは、それぞれ一本の溝で形成されていてもよいが、微小間隔を空けて掘削形成した２本づつ又は３本づつ以上の溝で形成されていてもよい。
【０００７】
［３］手段３：
略方形の底板部材と、
略方形を成し、一縁部が前記底板部材の一縁部に係止可能であるとともに係止状態に於いて該底板部材に折り畳み可能である第１側板部材と、
略方形を成し、一縁部が前記第１側板部材の他縁部に係止可能であるとともに係止状態に於いて該第１側板部材に折り畳み可能であり、他縁部が前記底板部材の他縁部に係止可能である第２側板部材と、
を有し、
前記第１側板部材は、前記一縁部及び他縁部と交叉する方向へ帯状に延びる複数本の帯状長穴を有し、
前記第２側板部材は、前記第１側板部材に係止して折り畳んだ状態に於いて該第１側板部材の対応する帯状長穴に略重なる複数本の帯状長穴を有し、
前記第１側板部材の一縁部を前記底板部材の一縁部に係止した状態で該底板部材から開き且つ該底板部材の上方へ傾斜させて立て、前記第２側板部材の一縁部を前記第１側板部材の他縁部に係止した状態で該第１側板部材から開き且つ他縁部を前記底板部材の他縁部に係止することにより、前記第２側板部材を前記底板部材の上方へ傾斜させて立てた組立状態と成す、
ことを特徴とする薄板物体用ラック。
［３−１］手段３の具体例：
底板部材と第１側板部材とを折り畳み可能に係止する箇所、及び／又は、第１側板部材と第２側板部材とを折り畳み可能に係止する箇所には、前記「［１−２］手段１の具体例２」の項で述べた構成を用いてもよい。即ち、スリット状係止孔と、逆鉤部３３ａを備えて縁部から突出される係止片とを有し、係止片をスリット状係止孔に挿通することにより折り畳み可能に係止する構造を用いてもよい。
【０００８】
［４］手段４：
略方形の底板部材６０と、
略方形を成し、湾曲可能であり、一縁部が前記底板部材６０の一縁部に係止可能であるとともに係止状態に於いて該底板部材６０に折り畳み可能であり、他縁部が前記底板部材６０の他縁部に係止可能である上板部材４０と、
を有し、
前記上板部材４０は、前記一縁部及び他縁部と交叉する方向へ帯状に延びる複数本の帯状長穴４１を有し、
前記上板部材４０の一縁部を前記底板部材６０の一縁部に係止した状態で該底板部材６０から開き且つ湾曲させて他縁部を該底板部材６０の他縁部に係止することにより、前記上板部材４０で前記底板部材６０を覆う組立状態と成す、
ことを特徴とする薄板物体用ラック。
［４−１］手段４の具体例１：
底板部材６０と上板部材４０とを折り畳み可能に係止する箇所には、前記手段３の具体例と同様に、前記「［１−２］手段１の具体例２」の項で述べた構成を用いてもよい。即ち、スリット状係止孔と、逆鉤部を備えて縁部から突出される係止片とを有し、係止片をスリット状係止孔に挿通することにより折り畳み可能に係止する構造を用いてもよい。
［４−２］手段４の具体例２：
前記手段４では、各帯状長孔４１は上板部材４０の一縁部から他縁部へ延びる１本の連続する長孔であるが、これに代えて、各帯状長孔を、それぞれ、中央部付近で分断された２部分から成る帯状長孔で構成してもよい。その場合、デジカメ写真のセットは、上方からではなく、横方向から行なうこととなる。
【０００９】
［５］手段５：
略方形の底板部６００と、
前記底板部６００の一縁部２００に折り曲げ自在に連設されており、湾曲可能であり、反連設側の縁部が前記底板部６００の反連設側の縁部に係止可能である略方形の上板部４００と、
を有し、
前記上板部４００は、前記連設側の縁部及び反連設側の縁部と交叉する方向へ帯状に延びる複数本の帯状長穴４０１を有し、
前記上板部４００の連設側の縁部を前記底板部６００から開き且つ湾曲させて反連設側の縁部を該底板部６００の反連設側の縁部に係止することにより、前記上板部４００で前記底板部６００を覆う組立状態と成す、
ことを特徴とする薄板物体用ラック。
［６］手段６：
略方形を成す底板と、
略方形を成し、帯状に延びる複数本の帯状長孔を有する上板と、
を有し、
前記底板を覆うように該底板に前記上板を組み付けて成る組立状態に於いて前記帯状長孔により薄板物体を立てた状態に保持可能である、
ことを特徴とする薄板物体用ラック。
底板と上板とは、折り曲げ可能な２部分（底板部分と上板部分）から成る１枚の板材であってもよく、接合可能な別個の板材でもよい。
上板は、１枚の板材で構成されていて湾曲されることで上板を覆ってもよく、折り曲げ可能な２部分から成る１枚の板材で構成されていてもよく、接合可能な２枚の板材で構成されていてもよい。
【考案の効果】
【００１０】
手段１は、略方形の底板部１０と該底板部１０の一縁部に屈曲自在に連設されていて該底板部１０に折り畳み可能である略方形の第１側板部３０とを有する第１板部材Ａと、略方形を成し一縁部が前記第１側板部３０の反連設側の縁部に係止可能であるとともに係止状態に於いて該第１側板部３０に折り畳み可能であり他縁部が前記底板部１０の反連設側の縁部に係止可能である第２側板部としての第２板部材５０とを有し、前記第１側板部３０は、連設側の縁部及び反連設側の縁部と交叉する方向へ帯状に延びる複数本の帯状長穴３１，３１，，を有し、前記第２板部材５０は、前記第１側板部３０に係止して折り畳んだ状態に於いて該第１側板部３０の対応する帯状長穴３１に略重なる複数本の帯状長穴５１，５１，，を有し、前記第１側板部３０を前記底板部１０の上方へ傾斜させて立て前記第２板部材５０の一縁部を前記第１側板部３０に係止した状態で該第１側板部３０から開き且つ他縁部を前記底板部１０に係止することにより前記第２板部材５０を前記底板部１０の上方へ傾斜させて立てた組立状態と成すことを特徴とする薄板物体用ラックであるため、組立状態に於いて帯状長孔３１と該帯状長孔３１に対応する帯状長孔５１とにデジカメ写真等を挿通すると、当該デジカメ写真等を両面から支えるように保持することができる。即ち、デジカメ写真等の表面（画像面）を他のデジカメ写真等から離隔した状態で、且つ、大きなスペースを占有することなく、良好に保管することができる。また、折り畳むことにより小さくできるため、使用しない場合には、収納しておくことができる。
また、第１板部材Ａと第２板部材５０の材質及び／又は色を異ならせた場合には、同一の場合とは異なる質感や意匠性を付与することができる。
【００１１】
手段２は、略方形の底板部１０と、前記底板部１０の一縁部に屈曲自在に連設されていて該底板部１０に折り畳み可能である略方形の第１側板部３００と、前記第１側板部３００に屈曲自在に連設されていて該第１側板部３００に折り畳み可能であり反連設側の縁部が前記底板部１０の反連設側の縁部に係止可能である略方形の第２側板部５００と、を有し、前記第１側板部３００は、前記底板部１０との連設側の縁部及び前記第２側板部５００との連設側の縁部と交叉する方向へ帯状に延びる複数本の帯状長穴３０１，３０１，，を有し、前記第２側板部５００は、前記第１側板部３００に折り畳まれた状態に於いて前記第１側板部３００の対応する帯状長穴３０１に略重なる複数本の帯状長穴５０１，５０１，，を有し、前記第１側板部３００を前記底板部１０の上方へ傾斜させて立て、前記第２側板部５００の前記第１側板部３００との連設側の縁部を該第１側板部３００から開き且つ反連設側の縁部を前記底板部１０に係止することにより、前記第２側板部５００を前記底板部１０の上方へ傾斜させて立てた組立状態と成す、ことを特徴とする薄板物体用ラックであるため、組立状態に於いて帯状長孔３０１と該帯状長孔３０１に対応する帯状長孔５０１とにデジカメ写真等を挿通すると、当該デジカメ写真等を両面から支えるように保持することができる。即ち、デジカメ写真等の表面（画像面）を他のデジカメ写真等から離隔した状態で、且つ、大きなスペースを占有することなく、良好に保管することができる。また、折り畳むことにより小さくできるため、使用しない場合には、収納しておくことができる。
【００１２】
手段３は、略方形の底板部材と、略方形を成し、一縁部が前記底板部材の一縁部に係止可能であるとともに係止状態に於いて該底板部材に折り畳み可能である第１側板部材と、略方形を成し、一縁部が前記第１側板部材の他縁部に係止可能であるとともに係止状態に於いて該第１側板部材に折り畳み可能であり、他縁部が前記底板部材の他縁部に係止可能である第２側板部材と、を有し、前記第１側板部材は、前記一縁部及び他縁部と交叉する方向へ帯状に延びる複数本の帯状長穴を有し、前記第２側板部材は、前記第１側板部材に係止して折り畳んだ状態に於いて該第１側板部材の対応する帯状長穴に略重なる複数本の帯状長穴を有し、前記第１側板部材の一縁部を前記底板部材の一縁部に係止した状態で該底板部材から開き且つ該底板部材の上方へ傾斜させて立て、前記第２側板部材の一縁部を前記第１側板部材の他縁部に係止した状態で該第１側板部材から開き且つ他縁部を前記底板部材の他縁部に係止することにより、前記第２側板部材を前記底板部材の上方へ傾斜させて立てた組立状態と成す、ことを特徴とする薄板物体用ラックであるため、組立状態に於いて第１側板部材の帯状長孔と該帯状長孔に対応する第２側板部材の帯状長孔とにデジカメ写真等を挿通すると、当該デジカメ写真等を両面から支えるように保持することができる。即ち、デジカメ写真等の表面（画像面）を他のデジカメ写真等から離隔した状態で、且つ、大きなスペースを占有することなく、良好に保管することができる。また、折り畳むことにより小さくできるため、使用しない場合には、収納しておくことができる。
また、底板部材と第１側板部材と第２側板部材の中の少なくとも２部材の材質及び／又は色を異ならせた場合には、全ての同一とした場合とは異なる質感や意匠性を付与することができる。
【００１３】
手段４は、略方形の底板部材６０と、略方形を成し、湾曲可能であり、一縁部が前記底板部材６０の一縁部に係止可能であるとともに係止状態に於いて該底板部材６０に折り畳み可能であり、他縁部が前記底板部材６０の他縁部に係止可能である上板部材４０と、を有し、前記上板部材４０は、前記一縁部及び他縁部と交叉する方向へ帯状に延びる複数本の帯状長穴４１を有し、前記上板部材４０の一縁部を前記底板部材６０の一縁部に係止した状態で該底板部材６０から開き且つ湾曲させて他縁部を該底板部材６０の他縁部に係止することにより、前記上板部材４０で前記底板部材６０を覆う組立状態と成す、ことを特徴とする薄板物体用ラックであるため、組立状態に於いて帯状長孔４１にデジカメ写真等をセットすると、当該デジカメ写真等を両面から支えるように保持することができる。即ち、デジカメ写真等の表面（画像面）を他のデジカメ写真等から離隔した状態で、且つ、大きなスペースを占有することなく、良好に保管することができる。また、折り畳むことにより小さくできるため、使用しない場合には、収納しておくことができる。
また、底板部材６０と上板部材４０の材質及び／又は色を異ならせた場合には、同一の場合とは異なる質感や意匠性を付与することができる。
【００１４】
手段５は、略方形の底板部６００と、前記底板部６００の一縁部２００に折り曲げ自在に連設されており、湾曲可能であり、反連設側の縁部が前記底板部６００の反連設側の縁部に係止可能である略方形の上板部４００と、を有し、前記上板部４００は、前記連設側の縁部及び反連設側の縁部と交叉する方向へ帯状に延びる複数本の帯状長穴４０１を有し、前記上板部４００の連設側の縁部を前記底板部６００から開き且つ湾曲させて反連設側の縁部を該底板部６００の反連設側の縁部に係止することにより、前記上板部４００で前記底板部６００を覆う組立状態と成す、ことを特徴とする薄板物体用ラックであるため、組立状態に於いて帯状長孔４０１にデジカメ写真等をセットすると、当該デジカメ写真等を両面から支えるように保持することができる。即ち、デジカメ写真等の表面（画像面）を他のデジカメ写真等から離隔した状態で、且つ、大きなスペースを占有することなく、良好に保管することができる。また、折り畳むことにより小さくできるため、使用しない場合には、収納しておくことができる。
手段６は、略方形を成す底板と、略方形を成し、帯状に延びる複数本の帯状長孔を有する上板と、を有し、前記底板を覆うように該底板に前記上板を組み付けて成る組立状態に於いて前記帯状長孔により薄板物体を立てた状態に保持可能である、ことを特徴とする薄板物体用ラックであるため、組立状態に於いて帯状長孔にデジカメ写真等をセットすると、当該デジカメ写真等を両面から支えるように保持することができる。即ち、デジカメ写真等の表面（画像面）を他のデジカメ写真等から離隔した状態で、且つ、大きなスペースを占有することなく、良好に保管することができる。また、非組立状態では小さくできるため、使用しない場合には、収納しておくことができる。
【考案を実施するための最良の形態】
【００１５】
以下、図面を参照して、本考案を具体的に説明する。
（１）第１の実施の形態（図１，図２）：
図１と図２は本考案の第１の実施の形態であるデジカメ写真用ラックを示す。このデジカメ写真用ラックは、第１板部材Ａ（＝底板部１０と第１側板部３０）と第２板部材５０とから成り、両板部材ともに、ポリプロピレンの板材から作成されている。図１（ａ）は組立状態を示す斜視図、（ｂ）は折り畳む過程を示す斜視図、（ｃ）は（ｂ）から更に折り畳む過程を示す斜視図、（ｄ）は折り畳んだ状態を示す斜視図、（ｅ）はデジカメ写真用ラックとして使用している様子を示す斜視図である。また、図２（ａ）は第２板部材５０を示す平面図、（ｂ）は第１板部材Ａ（＝底板部１０と第１側板部３０）を示す平面図、（ｃ）は第２板部材５０を底板部１０に係止する箇所を拡大して示す斜視図である。
【００１６】
図示のデジカメ写真用ラックは、底板部１０と第１側板部３０を有する略方形の第１板部材Ａと、略方形の第２板部材（＝第２側板部）５０とから成る。
【００１７】
第１板部材を構成する底板部１０と第１側板部３０とは、帯状屈曲部２０を介して屈曲自在に連設されており、折り畳み可能である。この帯状屈曲部２０は、所定間隔（例：０．５〜２ｃｍ程度）を空けて筋状に掘削形成した浅溝２１ａ，２１ｂに挟まれた領域として画定されており、この浅溝２１ａ，２１ｂの部分で折り曲げ可能である。図示の例では、各浅溝２１ａ，２１ｂは、それぞれ、微小間隙（例：０．１〜２ｍｍ程度）を空けて筋状に掘削形成した２本づつの細浅溝から成る。
なお、図示の例では浅溝を２１ａ，２１ｂの２本としたが、緩やかに湾曲する形状で屈曲させたい場合には、３〜４本で形成してもよい。
【００１８】
底板部１０の反連設側の縁部には、左右対象（図２（ｂ）での左右対象）の各部位に、それぞれ突出片１５，１５が設けられている。また、各突出片１５，１５の根元には、それぞれスリット状の孔１５ａ，１５ａが形成されている。なお、１５ｂは突出片間隙であり、この突出片間隙１５ｂに、後述の第２板部材５０の長孔間隙５５ｂが進入される。
【００１９】
第１側板部３０には、連設側の縁部及び反連設側の縁部と直交する方向へ帯状に延びる複数本（図示の例では１０本）の帯状長穴３１，３１，，が、相互に等間隔に且つ平行に形成されている。各帯状長孔３１，３１，，の幅は、保管対象のデジカメ写真を容易にセットし得る程度であり、長さについても同様である。
【００２０】
また、第１側板部３０の反連設側の縁部には、左右対象（図２（ｂ）での左右対象）の各部位に、それぞれ係止片３３，３３が当該の縁部から突出するように設けられている。各係止片３３，３３はそれぞれ矢尻のような形状を成しており、それぞれ抜け止め用の逆鉤部３３ａ，３３ａを有する。
【００２１】
第２側板部である第２板部材５０には、一方の縁部（請求項の一縁部／図２（ａ）内の上側の縁部）であって前記第１側板部３０の係止片３３，３３に対応する各部位に、スリット状係止孔５３，５３がそれぞれ形成されている。
また、他方の縁部（請求項の他縁部／図２（ａ）内の下側の縁部）には、左右対象の各部位に、比較的幅広で且つ長手方向の中央部分を幅狭と成す突出片５５ａ，５５ａを備えた２つの長孔５５，５５が形成されている。ここで、各長孔５５，５５の形成部位は、前記底板部１０の各突出片１５，１５の形成部位に対応する。なお、５５ｂは、長孔間隙であり、この長孔間隙５５ｂが、前述のように底板部１０の突出間隙１５ｂに進入する。
【００２２】
また、第２側板部である第２板部材５０には、上記一方の縁部と他方の縁部とに直交する方向へ帯状に延びる複数本（図示の例では１０本）の帯状長孔５１，５１，，が、相互に等間隔に且つ平行に形成されている。ここで、各帯状長孔５１，５１，，は、それぞれ前記第１側板部３０の帯状長孔３１，３１，，に対応する部位（＝折り畳まれた状態で略重なる部位）に形成されている。各帯状長孔５１，５１，，の幅や長さは、前記第１側板部３０の帯状長孔３１，３１，，と同様に、保管対象のデジカメ写真を容易にセットし得る程度である。
【００２３】
通常（製品開封前の未使用状態を除く意味）は、第２板部材５０は、第１板部材Ａの第１側板部３０に係止されている。即ち、第１側板部３０の係止片３３が、第２板部材５０の対応するスリット状係止孔５３に挿通され、係止片３３の逆鉤部３３ａが、当該スリット状係止孔５３の両端に係止されることで、第２板部材５０と第１側板部３０とが接合されている。第２板部材５０も第１側板部３０もともに薄板状であるため、上記のように係止される結果、第２板部材５０と第１側板部３０とは折り畳み可能である。
【００２４】
使用に際しては、折り畳まれた状態（図１（ｄ）参照）から、まず、第２板部材５０を第１側板部３０から離すように開きつつ、第１側板部３０を底板部１０の上方へ傾斜状態となるように立てる（図１（ｃ）〜（ｂ）参照）。
【００２５】
次に、第２板部材５０の前記他方の縁部の長孔５５，５５内へ、底板部１０の反連設側の縁部の突出片１５，１５を挿通した後、該突出片１５，１５の根元のスリット状の孔１５ａ，１５ａ内へ、第２板部材５０の長孔５５，５５内の突出片５５ａ，５５ａを進入させる。この時、第２板部材５０の長孔間隙５５ｂが、底板部１０の突出間隙１５ｂに進入する。このようにして、第２板部材５０の前記他方の縁部と、底板部１０の反連設側の縁部とが、係止される。
【００２６】
このように組立が行なわれて、図１（ａ）の状態となる。これにより、第２板部材５０の帯状長孔５１と、該帯状長孔５１に対応する第１側板部３０の帯状長孔３１とを用いて、デジカメ写真を保持する（図１（ｅ）参照）ことが可能となる。
折り畳む際は、上記と逆の手順（図１（ａ）〜（ｄ））となる。
【００２７】
（２）第２の実施の形態（図３，図４）：
第２の実施の形態は、第１の実施の形態と略同様である。
異なる点は、第１の実施の形態が、底板部１０及び第１側板部３０を成す第１板部材Ａと、第２板部材（第２側板部として機能する板部材）５０とを、それぞれ異なる板材から形成していたのに対して、第２の実施の形態では、それら全てを一枚の板材から形成している点である。第１の実施の形態は、第１板部材Ａと第２板部材５０とを異なる色や材質とすることが容易であるという利点を有する。一方、第２の実施の形態は、１枚板からの作成であるため、製造工程が簡単であるという利点を有する。
【００２８】
第２の実施の形態では、第１側板部３００と第２側板部（第１の実施の形態の第２板部材５０に相当する部材）５００とを、屈曲部２５を介して連設している。
以下、対応関係を簡単に述べる。
第２の実施の形態の底板部１０は、第１の実施の形態と同じである。
第２の実施の形態の第１側板部３００は、第１の実施の形態の第１側板部３０と略同様であり、異なる点は、第１の実施の形態の第２板部材５０に相当する部材である第２側板部５００との接合を、帯状屈曲部２５を用いて行なっている点である。なお、帯状屈曲部２５の構造は、前述の帯状屈曲部２０と同じである。
第２の実施の形態の第２側板部５００は、第１の実施の形態の第２板部材５０と略同様である。異なる点は、第１の実施の形態の第１側板部３０に相当する部材である第１側板部３００との接合を、帯状屈曲部２５を用いて行なっている点である。
図３及び図４では、第１の実施の形態に於ける上位桁３を３０で示し、５を５０で示すことにより、図１及び図２との類似する構成の対応関係を表すこととする。
【００２９】
（３）変形例（第３の実施の形態）：
前記第１の実施の形態では、第１板部材Ａ（＝底板部１０＋第１側板部３０）と、第２板部材（＝第２側板部）５０という、２枚の板材を用いてラックを構成している。
また、前記第２の実施の形態では、底板部１０と第１側板部３００と第２側板部５００とを構成する１枚の板材を用いてラックを構成している。
前記第１の実施の形態と前記第２の実施の形態から導かれる変形例として、３枚の板材を用いてラックを構成してもよい。即ち、下記のように構成してもよい。なお、第１の実施の形態と第２の実施の形態とから連想容易であるため、図示は省略する。
【００３０】
記：
略方形の底板部材と、
略方形を成し、一縁部が前記底板部材の一縁部に係止可能であるとともに係止状態に於いて該底板部材に折り畳み可能である第１側板部材と、
略方形を成し、一縁部が前記第１側板部材の他縁部に係止可能であるとともに係止状態に於いて該第１側板部材に折り畳み可能であり、他縁部が前記底板部材の他縁部に係止可能である第２側板部材と、
を有し、
前記第１側板部材は、前記一縁部及び他縁部と交叉する方向へ帯状に延びる複数本の帯状長穴を有し、
前記第２側板部材は、前記第１側板部材に係止して折り畳んだ状態に於いて該第１側板部材の対応する帯状長穴に略重なる複数本の帯状長穴を有し、
前記第１側板部材の一縁部を前記底板部材の一縁部に係止した状態で該底板部材から開き且つ該底板部材の上方へ傾斜させて立て、前記第２側板部材の一縁部を前記第１側板部材の他縁部に係止した状態で該第１側板部材から開き且つ他縁部を前記底板部材の他縁部に係止することにより、前記第２側板部材を前記底板部材の上方へ傾斜させて立てた組立状態と成す、
ことを特徴とする薄板物体用ラック。
【００３１】
底板部材と第１側板部材とを折り畳み可能に係止する箇所、及び／又は、第１側板部材と第２側板部材とを折り畳み可能に係止する箇所には、前記「［１−２］手段１の具体例２」の項で述べた構成を用いてもよい。即ち、スリット状係止孔と、逆鉤部３３ａを備えて縁部から突出される係止片とを有し、係止片をスリット状係止孔に挿通することにより折り畳み可能に係止する構造を用いてもよい。
【００３２】
また、前記第１の実施の形態では、帯状屈曲部２０をその両縁の浅溝２１ａ，２１ｂで構成しており、前記第２の実施の形態でも、同様に、帯状屈曲部２０と２５を、それぞれの両縁の浅溝２１ａ，２１ｂと２６ａ，２６ｂで構成しているが、これに代えて、帯状屈曲部の部分を折り曲げ容易な軟質樹脂で構成してもよい。
【００３３】
（４）第４の実施の形態（図５，図６）：
前記第１〜第３の実施の形態では、デジカメ写真を保持するための帯状長孔は２部分の板部又は２枚の板部材（第１側板部３０−第２側板部（第２板部材）５０，第１側板部３００−第２側板部５００，第１側板部材−第２側板部材）に分けて対応付けて形成されており、２つの板部又は板部材の境界で途切れている。このため、デジカメ写真をセットする場合には、２つの板部又は板部材の対応する帯状長孔に挿通するようにして横方向からセットしている（図１（ｅ），図３（ｅ）参照）。
【００３４】
これに対して、第４の実施の形態では、デジカメ写真を保持するための帯状長孔４１は単一の板部材（上板部材４０）に形成されており、該単一の板部材（上板部材４０）を湾曲させることにより、デジカメ写真の保持を可能としている。このため、デジカメ写真をセットする場合には、単一の板部材（上板部材４０）の上方から置くようにしてセットすることとなる（図５（ｃ），図７（ｃ）参照）。なお、前述の手段４の具体例２のように各帯状長孔を中央部付近で分断した２部分から成るように構成した場合には、デジカメ写真のセットは、横方向から行なうこととなる。
【００３５】
上記の点と、上記の点に起因する特殊性を除いて、基本的に、第４の実施の形態も第１〜第３の実施の形態と同様である。
ここで、上記の点に起因する特殊性とは、上板部材４０が、湾曲可能な材質・厚さであることである。
また、第１〜第３の実施の形態と同様な点とは、例えば、上板部材４０の１縁部と底板部材６０の一縁部とを係止する構造や、上板部材４０の他縁部と底板部材６０の他縁部とを係止する構造である。係止は、底板部材６０の一縁部（又は他縁部）の長孔６５，６５内へ、上板部材４０の一縁部（又は他縁部）の突出片４５，４５を挿通した後、該突出片４５，４５の根元のスリット状の孔４５ａ，４５ａ内へ、底板部材６０の長孔６５，６５内の突出片６５ａ，６５ａを進入させるとともに、底板部材６０の長孔間隙６５ｂが、上板部材４０の突出間隙４５ｂへ進入させることによって行なわれる。
【００３６】
（５）第５の実施の形態（図７，図８）：
第５の実施の形態は、第４の実施の形態と略同様である。
異なる点は、第４の実施の形態が、底板部材６０と上板部材４０とが別部材であったのに対して、第５の実施の形態では、底板部６００と上板部４００とが一縁部２００で折り曲げ自在に連設された１枚の板材で構成されている点である。このため、底板部６００と上板部４００の係止は、他縁部でのみ行なわれる。
第４の実施の形態は、底板部材６０と上板部材４０とを異なる色や材質とすることが容易であるという利点を有する。一方、第５の実施の形態は、１枚板からの作成であるため、製造工程が簡単であるという利点を有する。
図７及び図８では、第４の実施の形態に於ける上位桁４を４０で示し、６を６０で示すことにより、図５及び図６との類似する構成の対応関係を表すこととする。
【図面の簡単な説明】
【００３７】
【図１】第１の実施の形態であるデジカメ写真用ラックを示す。（ａ）は組立状態を示す斜視図、（ｂ）は折り畳む過程を示す斜視図、（ｃ）は（ｂ）から更に折り畳む過程を示す斜視図、（ｄ）は折り畳んだ状態を示す斜視図、（ｅ）はデジカメ写真用ラックとして使用している様子を示す斜視図である。
【図２】第１の実施の形態であるデジカメ写真用ラックを示す。（ａ）は第２板部材５０を示す平面図、（ｂ）は第１板部材Ａを展開して示す平面図、（ｃ）は第２板部材５０を底板部１０に係止する箇所を拡大して示す斜視図である。
【図３】第２の実施の形態であるデジカメ写真用ラックを示す。（ａ）は組立状態を示す斜視図、（ｂ）は折り畳む過程を示す斜視図、（ｃ）は（ｂ）から更に折り畳む過程を示す斜視図、（ｄ）は折り畳んだ状態を示す斜視図、（ｅ）はデジカメ写真用ラックとして使用している様子を示す斜視図である。
【図４】第２の実施の形態であるデジカメ写真用ラックを示す。（ａ）は展開状態を示す平面図、（ｂ）は第２側板部５００を底板部１０に係止する箇所を拡大して示す斜視図である。
【図５】第４の実施の形態であるデジカメ写真用ラックを示す。（ａ）は組立状態を示す斜視図、（ｂ）分解状態を示す斜視図、（ｃ）はデジカメ写真用ラックとして使用している様子を示す斜視図である。
【図６】第４の実施の形態であるデジカメ写真用ラックを示す。（ａ）は底板部材６０を示す平面図、（ｂ）は上板部材４０を示す平面図、（ｃ）は上板部材４０と底板部材６０とを係止する箇所を拡大して示す斜視図である。
【図７】第５の実施の形態であるデジカメ写真用ラックを示す。（ａ）は組立状態を示す斜視図、（ｂ）は組み立てる前の状態を示す斜視図、（ｃ）はデジカメ写真用ラックとして使用している様子を示す斜視図である。
【図８】第５の実施の形態であるデジカメ写真用ラックを示す。（ａ）は展開状態を示す平面図、（ｂ）は上板部材４０と底板部材６０とを係止する箇所を拡大して示す斜視図である。
【符号の説明】
【００３８】
Ａ  第１板部材
１０  底板部
２０  帯状屈曲部
２１ａ，２１ｂ  浅溝
２５  帯状屈曲部
２６ａ，２６ｂ  浅溝
３０  側板部
３１  帯状長孔
３００  第１側板部
３０１  帯状長孔
４０  上板部材
４００  上板部
４１，４０１  帯状長孔
５０  第２板部材
５１  帯状長孔
５００  第２側板部
５０１  帯状長孔
６０  底板部材
６００  底板部
【図１】
0003127182.tif 000003
【図２】
0003127182.tif 000004
【図３】
0003127182.tif 000005
【図４】
0003127182.tif 000006
【図５】
0003127182.tif 000007
【図６】
0003127182.tif 000008
【図７】
0003127182.tif 000009
【図８】
0003127182.tif 000010